(57)【要約】【課題】予め予約した時刻に受信した映像や音声などの視聴情報を視聴者の置かれた状況に応じて適切に出力したり録画保存したりできるようにすること。【解決手段】操作部１２０の操作により時計部１０４で予め予約した時刻に視聴信号の受信を開始して視聴信号の視聴情報を出力するチューナ部１０３と、チューナ部１０３から出力される映像データや音声データなどの視聴情報を視聴するための表示部１２１及びスピーカ１２２と、視聴信号の受信開始時に視聴者が視聴情報を視聴可能な状態であるか否かを判定する視聴状態判定手段としてのフリップ開閉検出部１１３と、表示部１２１が所定時間以上閉鎖されていることをフリップ開閉検出部１１３が検出し、視聴者が前記視聴情報を視聴不可能な状態であると判定した場合に視聴情報を記憶媒体に録画保存するメモリ部１０２と、を具備する。【選択図】図１
2008028465.tif 000002
【特許請求の範囲】
【請求項１】
視聴信号を受信する受信手段と、
予め予約した時刻に前記受信手段による前記視聴信号の受信を開始して前記視聴信号の視聴情報を出力する出力手段と、
前記出力手段から出力される前記視聴情報を視聴するための視聴手段と、
前記受信手段による前記視聴信号の受信開始時に視聴者が前記視聴情報を視聴可能な状態であるか否かを判定する視聴状態判定手段と、
前記視聴状態判定手段により視聴者が前記視聴情報を視聴不可能な状態であると判定した場合に前記視聴情報を記憶媒体に録画保存する録画手段と、を具備する携帯端末装置。
【請求項２】
前記視聴手段は、前記視聴情報のうちの映像情報を表示する表示画面が開閉自在な開閉型表示部を備え、
前記視聴状態判定手段は、前記受信手段による前記視聴信号の受信開始時に、前記開閉型表示部の開閉状態を検出する表示部開閉状態検出手段が、前記開閉型表示部が所定時間以上閉鎖された状態であることを検出した場合に、視聴者が前記視聴情報を視聴不可能な状態であると判定する、請求項１記載の携帯端末装置。
【請求項３】
前記視聴状態判定手段は、前記受信手段による前記視聴信号の受信開始時に、前記表示部開閉状態検出手段が、前記開閉型表示部が開放状態であることを検出し、かつ何らかのユーザ操作が所定時間以上行われなかった場合に、視聴者が前記視聴情報を視聴不可能な状態であると判定する、請求項２記載の携帯端末装置。
【請求項４】
前記視聴手段は、前記視聴情報のうちの映像情報を表示する表示画面が常時露呈した露呈型表示部を備え、
前記視聴状態判定手段は、前記受信手段による前記視聴信号の受信開始時に、何らかのユーザ操作が所定時間以上行われなかった場合に視聴者が前記視聴情報を視聴不可能な状態であると判定する、請求項１記載の携帯端末装置。
【請求項５】
予め予約した時刻になったときに前記出力手段による前記視聴情報の出力開始を告知する視聴開始告知手段を備える、請求項１から請求項４のいずれかに記載の携帯端末装置。
【請求項６】
前記視聴開始告知手段により前記出力手段による前記視聴情報の出力開始が告知された際に視聴者が前記視聴情報の視聴を開始するか否かを選択する選択手段を備え、
前記視聴状態判定手段は、前記選択手段により視聴者が前記視聴情報の視聴開始を選択した場合には視聴者が前記視聴情報を視聴可能な状態であると判定し、視聴者が前記視聴情報の視聴開始を選択しなかった場合には視聴者が前記視聴情報を視聴不可能な状態であると判定する、請求項５記載の携帯端末装置。
【請求項７】
前記録画手段による前記記憶媒体への前記視聴情報の録画保存が完了したときに前記視聴情報の録画完了を告知する録画完了告知手段を備える、請求項１から請求項６のいずれかに記載の携帯端末装置。
【発明の詳細な説明】
【技術分野】
【０００１】
本発明は、テレビ放送信号やラジオ放送信号などの視聴信号を受信して映像や音声を視聴することが可能な携帯電話機、ＰＤＡ、モバイルノートパソコンなどの携帯端末装置に関する。
【背景技術】
【０００２】
従来、この種の携帯端末装置として、予め予約した時刻になるとテレビ放送信号やラジオ放送信号などの視聴信号を受信して自動的に映像や音声の視聴を開始したりタイマー予約録画したりするものが知られている（例えば、特許文献１及び特許文献２など参照）。
【０００３】
特許文献１記載の携帯端末装置は、指定した特定番組の指定データを録画装置へ転送することで所望の番組の視聴や録画予約をするようにしている。
【０００４】
一方、特許文献２記載の携帯端末装置は、予約時間になったときにアラームで告知する機能や、電源ＯＦＦ状態でも予約時間がくると自動的に電源ＯＮしてテレビ視聴できる状態にする機能を有している。
【特許文献１】特開２００２−２５２７８９号公報
【特許文献２】特開２００５−１９１９１７号公報
【発明の開示】
【発明が解決しようとする課題】
【０００５】
しかしながら、前記従来の携帯端末装置は、予め予約した時刻になると、視聴者の置かれている状況に関係なく、テレビ放送信号やラジオ放送信号などの視聴信号を受信して自動的に映像や音声が出力されたりタイマー予約録画が開始されたりしてしまう。
【０００６】
このため、従来の携帯端末装置においては、視聴者が携帯端末装置から離れた視聴が不可能な場所に居ても、予め予約した時刻になると受信した映像や音声が無駄に出力されてしまう。
【０００７】
また、従来の携帯端末装置においては、視聴者が携帯端末装置を携帯していて視聴可能な状態であっても、予め予約した時刻になると受信した映像や音声が無駄に録画されてしまう。
【０００８】
このような予め予約した時刻に受信した映像や音声の無駄な出力や録画は、電源やメモリの無駄な消費を招くことになる。
【０００９】
本発明は、かかる点に鑑みてなされたもので、予め予約した時刻に受信した映像や音声などの視聴情報を視聴者の置かれた状況に応じて適切に出力したり録画保存したりすることができる携帯端末装置を提供することを目的とする。
【課題を解決するための手段】
【００１０】
かかる課題を解決するため、本発明の携帯端末装置は、視聴信号を受信する受信手段と、予め予約した時刻に前記受信手段による前記視聴信号の受信を開始して前記視聴信号の視聴情報を出力する出力手段と、前記出力手段から出力される前記視聴情報を視聴するための視聴手段と、前記受信手段による前記視聴情報信号の受信開始時に視聴者が前記視聴情報を視聴可能な状態であるか否かを判定する視聴状態判定手段と、前記視聴状態判定手段により視聴者が前記視聴情報を視聴不可能な状態であると判定した場合に前記視聴情報を記憶媒体に録画保存する録画手段と、を具備する構成を採る。
【発明の効果】
【００１１】
本発明によれば、予め予約した時刻に受信した映像や音声などの視聴情報を視聴者の置かれた状況に応じて適切に出力したり録画保存したりすることができるので、受信した映像や音声の無駄な出力や録画を回避して電源やメモリの無駄な消費を防止することができる。
【発明を実施するための最良の形態】
【００１２】
以下、本発明の実施の形態について、図面を参照して詳細に説明する。
【００１３】
図１は、本発明の一実施の形態に係る携帯端末装置の構成を示すブロック図である。
【００１４】
図１に示すように、本例の携帯端末装置１００は、制御部１０１、メモリ部１０２、チューナ部１０３、時計部１０４、ユーザＩ／Ｆ部１０５、を備えている。
【００１５】
制御部１０１は、チューナ制御部１１０、時計制御部１１１、時刻判定部１１２、フリップ開閉検出部１１３、メモリ制御部１１４、告知処理部１１５、音声制御部１１６、表示制御部１１７、ＬＥＤ制御部１１８、バイブ制御部１１９、などからなる。
【００１６】
ユーザＩ／Ｆ部１０５は、操作部１２０、表示部１２１、スピーカ１２２、ＬＥＤ１２３、バイブレータ１２４、などからなる。
【００１７】
図１において、制御部１０１は、メモリ部１０２、チューナ部１０３、時計部１０４、ユーザＩ／Ｆ部１０５、をそれぞれ制御する。
【００１８】
詳しくは、チューナ制御部１１０はチューナ部１０３を、時計制御部１１１は時計部１０４を、メモリ制御部１１４はメモリ部１０２を、音声制御部１１６はスピーカ１２２を、表示制御部１１７は表示部１２１を、ＬＥＤ制御部１１８はＬＥＤ１２３を、バイブ制御部１１９はバイブレータ１２４を、それぞれ制御する。
【００１９】
チューナ部１０３は、制御部１０１のチューナ制御部１１０の指示に応じて、図示しないアンテナが受信した所定の周波数の電波（テレビ放送信号やラジオ放送信号などの視聴信号）を復調して、映像データや音声データなどの視聴情報を出力する。
【００２０】
時計部１０４は、ＲＴＣ（Real Time Clock）により現在時刻を計測し、制御部１０１の時計制御部１１１の指示に基づいて、計測した現在時刻の時刻データを制御部１０１に送る。
【００２１】
制御部１０１の時刻判定部１１２は、時計部１０４から受け取った時刻データに基づいて、予め設定した時刻になったか否かを判定したり、予め設定された時間が経過したか否かを判定したりする。
【００２２】
制御部１０１のフリップ開閉検出部１１３は、ＭＲ(Magneto Resistance)センサにより、携帯端末装置１００の表示部１２１の開閉状態を検出する。
【００２３】
ユーザＩ／Ｆ部１０５の操作部１２０は、テンキーなどの入力デバイスを備え、テレビ放送やラジオ放送の受信開始時刻などを設定して、設定した時刻情報を制御部１０１に送る。
【００２４】
ユーザＩ／Ｆ部１０５の表示部１２１は、制御部１０１の表示制御部１１７の指示により、チューナ部１０３から出力される映像データに基づいてテレビ放送の映像やラジオ（文字）放送の字幕（文字情報）を、表示画面（不図示）に表示する。
【００２５】
本例の携帯端末装置１００の表示部１２１は、装置本体に対して開閉自在なフリップ型表示部を採用している。このフリップ型表示部は、装置本体に対して表示部１２１を閉鎖した状態では表示画面が露呈しないように収納される。この収納状態では、表示画面に映像が表示されず、視聴者は映像を視聴することができない。つまり、フリップ型表示部を備えた携帯端末装置１００においては、装置本体に対して表示部１２１を開放した状態で、露呈させた表示画面に映像を表示して視聴できるように構成されている。
【００２６】
ユーザＩ／Ｆ部１０５のスピーカ１２２は、制御部１０１の音声制御部１１６の指示により、チューナ部１０３から出力される音声データに基づいてテレビ放送やラジオ放送の音声を出力する。
【００２７】
また、スピーカ１２２は、音声制御部１１６の指示に基づいて、テレビ放送信号やラジオ放送信号などの視聴信号の受信を開始したことをメロディにより視聴者に告知する。
【００２８】
ユーザＩ／Ｆ部１０５のＬＥＤ１２３は、制御部１０１のＬＥＤ制御部１１８の指示に基づいて、テレビ放送信号やラジオ放送信号などの視聴信号の受信を開始したことを光の点滅により視聴者に告知する。
【００２９】
ユーザＩ／Ｆ部１０５のバイブレータ１２４は、制御部１０１のバイブ制御部１１９の指示に基づいて、テレビ放送信号やラジオ放送信号などの視聴信号の受信を開始したことを振動により視聴者に告知する。
【００３０】
制御部１０１の告知処理部１１５は、テレビ放送信号やラジオ放送信号などの視聴信号の受信を開始したことを視聴者に対して告知するための処理を行う。
【００３１】
メモリ部１０２は、受信した映像データや音声データを録画保存するための記憶媒体を備え、メモリ制御部１１４の指示により、テレビ放送信号やラジオ放送信号などの視聴信号の受信開始時に、視聴者が視聴不可能な状態である場合に受信した映像データや音声データを記憶媒体に録画保存する。
【００３２】
次に、図２及び図３を参照して、本例の携帯端末装置１００の動作について説明する。図２は、本発明の一実施の形態に係る携帯端末装置の動作を示すフローチャートである。図３は、本発明の一実施の形態に係る携帯端末装置の告知処理動作を示すフローチャートである。
【００３３】
図２において、本例の携帯端末装置１００の動作がスタートすると、まず、制御部１０１の時刻判定部１１２により、時計部１０４から入力される現在時刻が、操作部１２０で予め設定したテレビ放送やラジオ放送などの視聴開始時間になったか否かを判断する（ステップＳＴ２０１）。
【００３４】
ステップＳＴ２０１において、時計部１０４から入力される現在時刻が予め設定した視聴開始時間になると、テレビ放送やラジオ放送の映像データや音声データなどの視聴情報の出力開始を告知するために、図３に示す告知処理を実行する（ステップＳＴ２０２）。
【００３５】
図３に示すように、告知処理がスタートすると、まず、現在時刻が予め設定した視聴開始時間になったことを告知する告知方法としてメロディを鳴らすか否か判断する（ステップＳＴ３０１）。
【００３６】
ここで、現在時刻が予め設定した視聴開始時間になったことを告知する告知方法としてメロディを鳴らすように設定されている場合には、音声制御部１１６の指示により指定のメロディを鳴らす（ステップＳＴ３０２）。
【００３７】
一方、現在時刻が予め設定した視聴開始時間になったことを告知する告知方法としてメロディを鳴らすように設定されていない場合には、他の告知方法としてＬＥＤ１２３を点灯するか否か判断する（ステップＳＴ３０３）。
【００３８】
そして、現在時刻が予め設定した視聴開始時間になったことを告知する告知方法としてＬＥＤ１２３を点灯するように設定されている場合には、ＬＥＤ制御部１１８の指示により指定の間隔でＬＥＤ１２３を点灯する（ステップＳＴ３０４）。
【００３９】
一方、現在時刻が予め設定した視聴開始時間になったことを告知する告知方法としてＬＥＤ１２３を点灯するように設定されていない場合には、さらに他の告知方法としてバイブレータ１２４をＯＮするか否か判断する（ステップＳＴ３０５）。
【００４０】
そして、現在時刻が予め設定した視聴開始時間になったことを告知する告知方法としてバイブレータ１２４をＯＮするように設定されている場合には、バイブ制御部１１９により指定の間隔でバイブレータ１２４をＯＮして携帯端末装置１００の装置本体を振動させる（ステップＳＴ３０６）。
【００４１】
ここで、現在時刻が予め設定した視聴開始時間になったことを告知する告知方法としてバイブレータ１２４をＯＮするように設定されていない場合には、バイブレータ１２４をＯＮさせずに告知処理を終了する。
【００４２】
このようにして、現在時刻が予め設定した視聴開始時間になったことを告知する告知処理が終了すると、図２に示すように、テレビ放送信号やラジオ放送信号などの視聴信号の受信（ここではテレビ受信）を開始する（ステップＳＴ２０３）。
【００４３】
そして、テレビ放送信号やラジオ放送信号などの視聴信号の受信を開始すると、フリップ開閉検出部１１３の検出結果に基づいて、表示部１２１が閉じているか否か判定する（ステップＳＴ２０４）。
【００４４】
ここで、例えば視聴者が携帯端末装置１００から離れた場所に居て、予め予約しておいたテレビ放送やラジオ放送の視聴開始時間になったことを告知されてもそれに気が付かず、表示部１２１が閉じたままになっている場合には、予め予約した時刻に受信した映像や音声などの視聴情報をそのまま出力すると電源が無駄に消費されてしまうことになる。
【００４５】
そこで、ステップＳＴ２０４において、表示部１２１が閉じていると判定した場合には、受信可能エリア内か否か判断する（ステップＳＴ２０５）。
【００４６】
そして、ステップＳＴ２０５において、受信可能エリア内であると判断した場合には、メモリ制御部１１４の指示に基づいて、メモリ部１０２を制御し、受信した映像データ及び音声データを記憶媒体に録画保存するようにテレビ録画を開始する（ステップＳＴ２０６）。
【００４７】
一方、ステップＳＴ２０５において、受信可能エリア外であると判断した場合には、待ち受け状態に戻る（ステップＳＴ２１０）。
【００４８】
ステップＳＴ２０５において、受信可能エリア内であると判断され、テレビ録画を開始した場合には、時刻判定部１１２により録画終了時間になったか否か、もしくはメモリ制御部１１４によりメモリ部１０２の記憶媒体のメモリ空き容量が無くなったか否か判断する（ステップＳＴ２０７）。
【００４９】
そして、ステップＳＴ２０７において、録画終了時間になったと判断、もしくは記憶媒体のメモリ空き容量が無くなったと判断した場合には、テレビ録画を終了する（ステップＳＴ２０８）。
【００５０】
このようにしてテレビ録画が終了すると、映像データや音声データなどの視聴情報の録画保存が完了したことを告知するために、告知処理を実行する（ステップＳＴ２０９）。
【００５１】
このときの告知処理は、ステップＳＴ２０２での告知処理と同じであるので、その説明を省略する。
【００５２】
そして、ステップＳＴ２０９における告知処理が終了したら、ステップＳＴ２１０の待ち受け状態に戻る。
【００５３】
一方、ステップＳＴ２０４において、表示部１２１が開いていると判定した場合には、視聴者がテレビ視聴するか否かを判断する（ステップＳＴ２１１）。
【００５４】
ここで、視聴者がテレビ視聴しないと判断した場合には、ステップＳＴ２１０の待ち受け状態に戻る。
【００５５】
そして、ステップＳＴ２１１において、視聴者がテレビ視聴すると判断した場合には、表示部１２１に映像を表示するとともにスピーカ１２２から音声を出力して、テレビ視聴を開始する（ステップＳＴ２１２）。
【００５６】
次いで、視聴者がテレビ視聴を中止するか否かをステップＳＴ２１３において判断し、視聴者がテレビ視聴を中止した場合には、ステップＳＴ２１０の待ち受け状態に戻る。
【００５７】
ところで、このような携帯端末装置１００においては、表示部１２１が開いており視聴可能な状態であっても、視聴者が表示部１２１を開放したままの状態で携帯端末装置１００から離れた場所に居て視聴不可能な状況にある場合が想定される。
【００５８】
そこで、本例の携帯端末装置１００においては、視聴信号の受信開始時に、表示部１２１が開放状態であることを検出し、かつ何らかのユーザ操作が所定時間以上行われなかった場合に、視聴者が視聴情報を視聴不可能な状態であると判定する構成を採っている。
【００５９】
なお、ここでは、表示部１２１が開閉自在なフリップ型表示部で構成されている場合について説明したが、本例の携帯端末装置１００としては、表示画面が常時露呈したスライド型表示部やストレート型表示部を備えたものであっても同様の制御を行うことが可能である。
【００６０】
本発明の第１の態様に係る携帯端末装置は、視聴信号を受信する受信手段と、予め予約した時刻に前記受信手段による前記視聴信号の受信を開始して前記視聴信号の視聴情報を出力する出力手段と、前記出力手段から出力される前記視聴情報を視聴するための視聴手段と、前記受信手段による前記視聴情報信号の受信開始時に視聴者が前記視聴情報を視聴可能な状態であるか否かを判定する視聴状態判定手段と、前記視聴状態判定手段により視聴者が前記視聴情報を視聴不可能な状態であると判定した場合に前記視聴情報を記憶媒体に録画保存する録画手段と、を具備する構成を採る。
【００６１】
この構成によれば、前記視聴状態判定手段により予め予約した時刻に受信した映像や音声などの視聴情報を視聴者の置かれた状況を知ることができる。従って、この構成によれば、視聴者の置かれた状況に応じて受信した映像や音声などの視聴情報を適切に出力したり録画保存したりすることができるので、受信した視聴情報の無駄な出力や録画を回避して電源やメモリの無駄な消費を防止することができる。
【００６２】
本発明の第２の態様に係る携帯端末装置は、前記第１の態様において、前記視聴手段は、前記視聴情報のうちの映像情報を表示する表示画面が開閉自在な開閉型表示部を備え、前記視聴状態判定手段は、前記受信手段による前記視聴信号の受信開始時に、前記開閉型表示部の開閉状態を検出する表示部開閉状態検出手段が、前記開閉型表示部が所定時間以上閉鎖された状態であることを検出した場合に、視聴者が前記視聴情報を視聴不可能な状態であると判定する構成を採る。
【００６３】
この構成によれば、前記第１の態様における効果に加えて、前記表示部開閉状態検出手段により前記開閉型表示部の開閉状態を検出するだけで視聴者の置かれた状況を検出できるので、構成の複雑化を招くことがない。
【００６４】
本発明の第３の態様に係る携帯端末装置は、前記第２の態様において、前記視聴状態判定手段は、前記受信手段による前記視聴信号の受信開始時に、前記表示部開閉状態検出手段が、前記開閉型表示部が開放状態であることを検出し、かつ何らかのユーザ操作が所定時間以上行われなかった場合に、視聴者が前記視聴情報を視聴不可能な状態であると判定する構成を採る。
【００６５】
この構成によれば、前記第２の態様における効果に加えて、ユーザ操作の有無によって視聴者の置かれた状況を判断しているので、視聴者が視聴可能であるか否かを確実に判断することができる。
【００６６】
本発明の第４の態様に係る携帯端末装置は、前記第１の態様において、前記視聴手段は、前記視聴情報のうちの映像情報を表示する表示画面が常時露呈した露呈型表示部を備え、前記視聴状態判定手段は、前記受信手段による前記視聴信号の受信開始時に、何らかのユーザ操作が所定時間以上行われなかった場合に視聴者が前記視聴情報を視聴不可能な状態であると判定する構成を採る。
【００６７】
この構成によれば、前記第１の態様における効果に加えて、映像情報を表示する表示画面が常時露呈した露呈型表示部からなる携帯端末装置においても視聴者が視聴可能であるか否かを判断することが可能になる。
【００６８】
本発明の第５の態様に係る携帯端末装置は、前記第１の態様から前記第４の態様のいずれかにおいて、予め予約した時刻になったときに前記出力手段による前記視聴情報の出力開始を告知する視聴開始告知手段を備える構成を採る。
【００６９】
この構成によれば、前記第１の態様から前記第４の態様のいずれかにおける効果に加えて、前記視聴開始告知手段により視聴情報の出力開始を告知することができるので、視聴情報の出力や録画記録の開始を前もって知ることが可能になる。
【００７０】
本発明の第６の態様に係る携帯端末装置は、前記第５の態様において、前記視聴開始告知手段により前記出力手段による前記視聴情報の出力開始が告知された際に視聴者が前記視聴情報の視聴を開始するか否かを選択する選択手段を備え、前記視聴状態判定手段は、前記選択手段により視聴者が前記視聴情報の視聴開始を選択した場合には視聴者が前記視聴情報を視聴可能な状態であると判定し、視聴者が前記視聴情報の視聴開始を選択しなかった場合には視聴者が前記視聴情報を視聴不可能な状態であると判定する構成を採る。
【００７１】
この構成によれば、前記第５の態様における効果に加えて、前記視聴開始告知手段による視聴情報の出力開始の告知を受けた後、状況に応じて視聴者が視聴情報を視聴するか否か選択することができる。
【００７２】
本発明の第７の態様に係る携帯端末装置は、前記第１の態様から前記第６の態様のいずれかにおいて、前記録画手段による前記記憶媒体への前記視聴情報の録画保存が完了したときに前記視聴情報の録画完了を告知する録画完了告知手段を備える構成を採る。
【００７３】
この構成によれば、前記第１の態様から前記第６の態様のいずれかにおける効果に加えて、前記録画完了告知手段により視聴情報の録画完了を告知することができるので、視聴情報の録画完了後に待ち受け状態に戻して無駄な電力消費を防止することが可能になる。
【産業上の利用可能性】
【００７４】
本発明に係る携帯端末装置は、予め予約した時刻に受信した映像や音声などの視聴情報を視聴者の置かれた状況に応じて適切に出力したり録画保存したりすることができ、受信した映像や音声の無駄な出力や録画を回避して電源やメモリの無駄な消費を防止することができるので、テレビ放送信号やラジオ放送信号などの視聴信号を受信して映像や音声を視聴することが可能な携帯電話、ＰＤＡ、モバイルノートパソコンなどの携帯端末装置として有用である。
【図面の簡単な説明】
【００７５】
【図１】本発明の一実施の形態に係る携帯端末装置の構成を示すブロック図
【図２】本発明の一実施の形態に係る携帯端末装置の動作を示すフローチャート
【図３】本発明の一実施の形態に係る携帯端末装置の告知処理動作を示すフローチャート
【符号の説明】
【００７６】
１００  携帯端末
１０１  制御部
１０２  メモリ部
１０３  チューナ部
１０４  時計部
１０５  ユーザＩ／Ｆ部
１１０  チューナ制御部
１１１  時計制御部
１１２  時刻判定部
１１３  フリップ開閉検出部
１１４  メモリ制御部
１１５  告知処理部
１１６  音声制御部
１１７  表示制御部
１１８  ＬＥＤ制御部
１１９  バイブ制御部
１２０  操作部
１２１  表示部
１２２  スピーカ
１２３  ＬＥＤ
１２４  バイブレータ
【図１】
2008028465.tif 000003
【図２】
2008028465.tif 000004
【図３】
2008028465.tif 000005